(57)【特許請求の範囲】
【請求項１】
縦杆（２）と横杆（３）とを格子状に有するネット体（１）のネット面に沿って配置される板状の取付基板（６）を備え、板状の取付基板（６）の上端部にネット体（１）の横杆（３）に上側から係合される左右一対のフック部（７）が設けられると共に、板状の取付基板（６）に品物を引っ掛けるための引っ掛け具（８）が突設され、板状の取付基板（６）に、ネット体（１）の縦杆（２）が嵌合するように縦方向全長に亘って凹んだ縦凹部（１１）が、左右一対のフック部（７）間に位置して設けられ、板状の取付基板（６）の下部に、前記左右一対のフック部（７）が係合した横杆（３）よりも下段側の横杆（３）に取付基板（６）の上方移動を規制するように下側から係合する左右一対の規制片（１９）が、二股状に設けられたネットフックにおいて、
前記板状の取付基板（６）の上端部の左右一対のフック部（７）間に、板状の取付基板（６）の上端から下方に向けて凹んだ切り欠き凹部（１７）が、フック部（７）の先端の縦方向の位置と同一の深さ又はそれよりも深く形成され、
左右一対のフック部（７）間に、裏面側から他の同一形状のネットフックのフック部（７）を配置できるように、左右一対のフック部（７）の左右幅が、切り欠き凹部（１７）の左右幅よりも小に形成されて、切り欠き凹部（１７）の左右幅が、フック部（７）の左右幅の２倍以上に設定され、
左右一対の規制片（１９）間に、裏面側から他の同一形状のネットフックの規制片（１９）を配置できるように、左右一対の規制片（１９）の左右幅が、該一対の規制片（１９）の離間幅よりも小に形成されて、一対の規制片（１９）の離間幅が、左右一対の規制片（１９）の２倍以上に設定されていることを特徴とするネットフック。
【発明の詳細な説明】
【０００１】
【発明の属する技術分野】
本発明は、縦杆と横杆とを格子状に有するネット体に、引っ掛けて品物を吊すためのネットフックに関するものである。
【０００２】
【従来の技術】
例えば品物を吊して展示販売等するために使用されるネットフック３１には、図１０〜図１２に示すように、縦杆３２と横杆３３とを格子状に有するネット体３４のネット面に沿って配置される取付基板３７を備え、取付基板３７の上端部に、ネット体３４の横杆３３に上側から係合する左右一対のフック部３８を設けると共に、取付基板３７に品物を引っ掛けるための引っ掛け具３９を突設したものがある。この種の従来のネットフック３１は、同図に示すように、ネット面に配置される取付基板３７が平坦な板状であり、取付基板３７の下部に、前記左右一対のフック部３８が係合した横杆３３よりも下段側の横杆３３に取付基板３７の上方移動を規制するように下側から係合する規制片４１を設けており、図１０〜図１２に示すように、ネット体３４の横杆３３に左右一対のフック部３８を上側から係合することにより、取付基板３７の下部が、前記左右一対のフック部３８が係合した横杆３３よりも下段側の横杆３３に接当することにより、取付基板３７がネット体３４のネット面に沿って配置され、取付基板３７の上方移動を規制するように規制片４１が前記下段側の横杆３３に下側から係合するようになっている。そして、商品等の品物を引っ掛け具３９に引っ掛けることにより、品物をネット体３４に吊り下げて陳列等ができるようになっている。
【０００３】
【発明が解決しようとする課題】
しかし、従来の場合、ネット体３４の表裏両面側に、ネットフック３１を取り付けて、品物をネット体１の表裏両面側に吊り下げようとした場合、ネット体３４の表面Ａ側、即ちネット体１の縦杆３２と横杆３３が格子状に配置された横杆３３側に、図１０〜図１２に実線で示すように、左右一対のフック部３８を横杆３３に係合してネットフック３１を取り付けるときには、ネット体３４の縦杆３２が邪魔になるようなこともなく、縦杆３２に跨るようにネット体３４にネットフック３１を取り付けることができるが、図１１に鎖線で示し又は図１３に示すように、ネット体３４の裏面Ｂ側、即ちネット体３４の縦杆３２と横杆３３が格子状に配置された縦杆３２側にネットフック３１を取り付けるときには、縦杆３２が邪魔になるため、ネットフック３１を縦杆３２に跨るように取り付けることができず、ネットフック３１のネット体３４に対する取付位置に大きな制限を受けることとなった。
【０００４】
また、ネット体３４の表裏両面側にネットフック３１を取り付けて、品物をネット体３４の表裏両面側に吊り下げる場合、図１１に示すように、ネット体３４の表裏両面側に、複数のネットフック３１を互いにラップする位置に取り付けようとすれば、ネット体３４の表面Ａ側のネットフック３１のフック部３８と裏面Ｂ側のネットフック３１の取付基板３７の上端部とが干渉し、またネット体３４の裏面Ｂ側のネットフック３１のフック部３８と表面側のネットフック３１の取付基板３７の上端部とが干渉するため、ネット体３４の表裏両面側に、複数のネットフック３１を互いにラップさせて取り付けることは困難であった。
【０００５】
従って、従来の場合、ネットフック３１をネット体３４の両面側に高密度で任意の位置に取り付けることができず、品物をネット体の両面側に多く吊り下げることができなかった。
本発明は上記問題点に鑑み、ネット体に対してネットフックをネット体の両面側により高密度で任意の位置に取り付けることができて、品物をネット体の両面側にできるだけ多く吊り下げることができるようにしたものである。
【０００６】
【課題を解決するための手段】
この技術的課題を解決する本発明の技術的手段は、縦杆２と横杆３とを格子状に有するネット体１のネット面に沿って配置される板状の取付基板６を備え、板状の取付基板６の上端部にネット体１の横杆３に上側から係合される左右一対のフック部７が設けられると共に、板状の取付基板６に品物を引っ掛けるための引っ掛け具８が突設され、板状の取付基板６に、ネット体１の縦杆２が嵌合するように縦方向全長に亘って凹んだ縦凹部１１が、左右一対のフック部７間に位置して設けられ、板状の取付基板６の下部に、前記左右一対のフック部７が係合した横杆３よりも下段側の横杆３に取付基板６の上方移動を規制するように下側から係合する左右一対の規制片１９が、二股状に設けられたネットフックにおいて、
前記板状の取付基板６の上端部の左右一対のフック部７間に、板状の取付基板６の上端から下方に向けて凹んだ切り欠き凹部１７が、フック部７の先端の縦方向の位置と同一の深さ又はそれよりも深く形成され、
左右一対のフック部７間に、裏面側から他の同一形状のネットフックのフック部７を配置できるように、左右一対のフック部７の左右幅が、切り欠き凹部１７）の左右幅よりも小に形成されて、切り欠き凹部１７の左右幅が、フック部７の左右幅の２倍以上に設定され、
左右一対の規制片１９間に、裏面側から他の同一形状のネットフックの規制片１９を配置できるように、左右一対の規制片１９の左右幅が、該一対の規制片１９の離間幅よりも小に形成されて、一対の規制片１９の離間幅が、左右一対の規制片１９の２倍以上に設定されている点にある。
【０００７】
【発明の実施の形態】
以下、本発明の実施の形態を図面に基づいて説明する。
図１〜図４は本発明の一実施の形態を示している。同図において、１はネット体で、縦杆２と横杆３とを格子状に有する。５はネット体１に引っ掛けて品物を吊すためのネットフックで、金属又は合成樹脂等により構成され、ネット体１のネット面に沿って配置される取付基板６を備える。取付基板６は板状に形成され、取付基板６の上端部の左右両側に左右一対のフック部７が設けられると共に、取付基板６に品物を引っ掛けるための引っ掛け具８が突設されている。
【０００８】
左右一対のフック部７は、取付基板６の引っ掛け具８の突出側とは反対側に（後側に）鍵形（逆Ｕ字状）に屈曲形成されて、ネット体１の横杆３に上側から係脱自在に係合するように構成されている。左右一対のフック部７をネット体１の横杆３に上側から係合することにより、図１及び図２に示すように、取付基板６の下部が、前記左右一対のフック部７が係合した横杆３よりも下段側の横杆３に接当して、取付基板６がネット体１のネット面に沿って配置されるようになっている。
【０００９】
前記取付基板６の左右方向の中央部に縦方向全長に亘って凹んだ縦凹部１１が設けられている。この縦凹部１１は左右一対のフック部７間に位置して設けられ、ネット体１の縦杆２が嵌合可能となるように引っ掛け具８側に没入形成されている。
前記引っ掛け具８は上引っ掛け部１３と下引っ掛け部１４と取付部１５とを一体に有し、取付部１５は上引っ掛け部１３と下引っ掛け部１４とを連結すると共に、取付基板６の縦凹部１１の前面にスポット溶接、カシメ又は一体成形等によって固着されている。
【００１０】
前記取付基板６の上端部の左右一対のフック部７間に、取付基板６の上端から下方に向けて凹んだ切り欠き凹部１７が、フック部７の先端の縦方向の位置と同一の深さに形成されており、同一形状の他のネットフック５のフック部７がこの左右一対のフック部７間の切り欠き凹部１７に嵌合可能になっている。
取付基板６の下部に、前記左右一対のフック部７が係合した横杆３よりも下段側の横杆３に下側から係合する左右一対の規制片１９が設けられている。左右一対の規制片１９は、取付基板６の下端から後側に屈曲され、下段側の横杆３に下側から係合することによって取付基板６の上方移動を規制するようになっている。また、左右一対の規制片１９は、前記縦凹部１１の両側に位置するように二股状に形成されており、同一形状の他のネットフック５の規制片１９がこの左右一対の規制片１９間に嵌合可能になっている。
【００１１】
上記実施の形態によれば、図１及び図２に示すように、ネット体１の横杆３に左右一対のフック部７を上側から係合することにより、取付基板６の下部が、前記左右一対のフック部７が係合した横杆３よりも下段側の横杆３に接当する。これにより、取付基板６がネット体１のネット面に沿って配置され、取付基板６の上方移動を規制するように規制片１９が前記下段側の横杆３に下側から係合する。そして、商品等の品物を引っ掛け具８に引っ掛けることにより、品物をネット体１に吊り下げて陳列等することができる。
【００１２】
このとき、図１及び図２に示すように、ネット体１の表面Ａ側、即ちナット体１の縦杆２と横杆３が格子状に配置された横杆３側に、ネットフック５を取り付ける場合には、従来と同様にネット体１の縦杆２が邪魔になるようなこともなく、ネットフック５を該縦杆２に跨るようにネット体１に取り付けることができる。
また、ネット体１の裏面Ｂ側、即ちナット体１の縦杆２と横杆３が格子状に配置された縦杆２側に、ネットフック５をネット体１に取り付ける場合には、図５〜図６に示すように、取付基板６の縦凹部１１をネットフックの縦杆２に嵌合させることにより、ネットフック５を縦杆２に跨らせて取り付けることができる。このため、ネットフック５をネット体１の裏面Ｂ側に取り付ける場合にも、縦杆２がネットフック５の取付の邪魔になることが少なくなり、ネットフック５をネット体１に対して任意の位置に高密度で取り付けることができる。従って、ネット体１の表裏両面側に品物を比較的自由に吊り下げることが可能になる。
【００１３】
また、ネットフック５をネット体１の表裏両面側に取り付けて、品物をネット体１の表裏両面側に吊り下げる場合、図８に示すように、ネット体１の表面Ａ側のネットフック５の切り欠き凹部１７に裏面Ｂ側のネットフック５一方のフック部７を嵌合させると共に、ネット体１の裏面Ｂ側のネットフック５の切り欠き凹部１７に表面Ａ側のネットフック５の一方のフック部７を嵌合させ、ネット体１の表面Ａ側のネットフック５の左右一対の規制片１９間に裏面Ｂ側のネットフック５の一方の規制片１９を嵌合させると共に、ネット体１の裏面Ｂ側のネットフック５の左右一対の規制片１９間に表面Ａ側のネットフック５の一方の規制片１９を嵌合させることによって、ネット体１の表裏両面側に取付けた複数のネットフック５を互いにラップさせて取り付けることができる。
【００１４】
従って、ネット体１に対してネットフック５をネット体１の表裏両面側により高密度で任意の位置に取り付けることができて、品物をネット体１の表裏両面側にできるだけ多く吊り下げることができる。
図９は他の実施の形態を示し、引っ掛け具８を、１つの引っ掛け部２１と取付部２２とを有するＬ字状に形成し、引っ掛け具８の取付部２２を取付基板６の縦凹部１１の前面にスポット溶接又はカシメ等によって固着するようにしたものである。その他の構成は前記実施の形態の場合と同様の構成である。
【００１５】
なお、前記実施の形態では、取付基板６の下部に、左右一対の規制片１９が二股状に設けられているが、この規制片１９を省略するようにしてもよい。
また、前記実施の形態では、取付基板６の上端部の左右一対のフック部７間に、取付基板６の上端から下方に向けて凹んだ切り欠き凹部１７が、フック部７の先端の縦方向の位置と同一の深さに形成されているが、これに代え、取付基板６の上端から下方に向けて凹んだ切り欠き凹部１７を、フック部７の先端の縦方向の位置よりも深く形成して、同一形状の他のネットフック５のフック部７を、左右一対のフック部７間の切り欠き凹部１７に嵌合可能になるようにしてもよい。
【００１６】
また、前記実施の形態では、取付基板６の上端部の左右両側に左右一対のフック部７が設けられているが、これに代え、取付基板６の上端部に１個のフック部７を設けるようにしてもよいし、また取付基板６の上端部に３個以上のフック部７を設けるようにしてもよい。
【００１７】
【発明の効果】
本発明によれば、ネット体１に対してネットフック５をネット体１の両面側により高密度で任意の位置に取り付けることができて、品物をネット体１の両面側にできるだけ多く吊り下げることができるようになる。
【図面の簡単な説明】
【図１】本発明の一実施の形態を示す正面図である。
【図２】同側面断面図である。
【図３】同平面図である。
【図４】同背面図である。
【図５】同ネット体の裏面側へのネットフックの取付状態を示す正面図である。
【図６】同ネット体の裏面側へのネットフックの取付状態を示す平面図である。
【図７】同ネット体の裏面側へのネットフックの取付状態を示す側面断面図である。
【図８】同ネット体の表裏両面側へのネットフックの取付状態を示す正面図である。
【図９】他の実施の形態を示す側面図である。
【図１０】従来例を示す側面断面図である。
【図１１】同正面図である。
【図１２】同背面図である。
【図１３】同ネット体の裏面側へのネットフックの取付を示す側面図である。
【符号の説明】
１    ネット体
２    縦杆
３    横杆
５    ネットフック
６    取付基板
７    フック部
８    引っ掛け具
１１    縦凹部
１７    切り欠き凹部
１９    規制片
【図１】
0003550514.tif 000002
【図２】
0003550514.tif 000003
【図３】
0003550514.tif 000004
【図４】
0003550514.tif 000005
【図５】
0003550514.tif 000006
【図６】
0003550514.tif 000007
【図７】
0003550514.tif 000008
【図８】
0003550514.tif 000009
【図９】
0003550514.tif 000010
【図１０】
0003550514.tif 000011
【図１１】
0003550514.tif 000012
【図１２】
0003550514.tif 000013
【図１３】
0003550514.tif 000014